(57)【要約】【課題】本発明は防犯機能付き携帯端末に関し、犯行が発生した時に即座に証拠写真、位置情報、発生時刻等を所定の場所（例えば警察、自宅、友人）に速やかに送信することができる防犯機能付き携帯端末を提供することを目的としている。【解決手段】非常時に押下する非常ボタン１と、映像を記録するカメラ部２と、当該端末の位置情報を認識する位置情報認識部３と、時刻情報を発生する時計部４と、所定の情報を送信するメール送信部５と、前記カメラ部２と、位置情報認識部３と、時計部４から得られた情報を記憶する現場情報記憶部６と、当該端末の所持者に関する情報を記憶する端末所持者情報記憶部７と、前記メール送信部５から送信されるメール宛先情報を記憶するメールアドレス記憶部８と、当該端末の全体の動作を制御する制御部１０と、により構成される。【選択図】      図１
2004289364.tif 000002
【特許請求の範囲】
【請求項１】
非常時に押下する非常ボタンと、
映像を記録するカメラ部と、
当該端末の位置情報を認識する位置情報認識部と、
時刻情報を発生する時計部と、
所定の情報を送信するメール送信部と、
前記カメラ部と、位置情報認識部と、時計部から得られた情報を記憶する現場情報記憶部と、
当該端末の所持者に関する情報を記憶する端末所持者情報記憶部と、
前記メール送信部から送信されるメール宛先情報を記憶するメールアドレス記憶部と、
当該端末の全体の動作を制御する制御部と、
を具備し、
前記非常ボタンを押下すると、前記制御部はそのことを検知し、前記カメラ部と、位置情報認識部と、時計部を起動して情報を取得して前記現場情報記憶部に記憶すると共に、該現場情報記憶部に記憶された情報と、前記端末所持者情報記憶部に記憶されている情報とを、前記メールアドレス記憶部に記憶されているアドレスに前記メール送信部から送信することを特徴とする防犯機能付き携帯端末。
【請求項２】
前記現場情報記憶部に記憶されている情報は、写真撮影情報、当該端末の位置情報及び時計情報であることを特徴とする請求項１記載の防犯機能付き携帯端末。
【請求項３】
前記端末所持者情報記憶部に記憶されている情報は、当該端末所持者の氏名、住所、電話番号、メールアドレスの他、本人を特定する本人特定情報であることを特徴とする請求項１記載の防犯機能付き携帯端末。
【請求項４】
前記本人を特定する情報は、顔写真や、指紋情報であることを特徴とする請求項３記載の防犯機能付き携帯端末。
【請求項５】
前記制御部は、非常ボタンが押されると、写真撮影、位置情報の収集、時刻の読み取り、メールの作成と、登録されているメールアドレスへのメール送信の一連の動作を連続的に行なうことを特徴とする請求項１記載の防犯機能付き携帯端末。
【請求項６】
非常時に押下する非常ボタンと、
映像を記録するカメラ部と、
当該端末の位置情報を認識する位置情報認識部と、
時刻情報を発生する時計部と、
音声を記録する音声録音部と、
所定の情報を送信するメール送信部と、
前記カメラ部と、位置情報認識部と、時計部から得られた情報と、音声情報を記憶する現場情報記憶部と、
当該端末の所持者に関する情報を記憶する端末所持者情報記憶部と、
前記メール送信部から送信されるメール宛先情報を記憶するメールアドレス記憶部と、
当該端末の全体の動作を制御する制御部と、
を具備し、
前記非常ボタンを押下すると、前記制御部はそのことを検知し、前記カメラ部と、位置情報認識部と、時計部と、音声録音部を起動して情報を取得して前記現場情報記憶部に記憶すると共に、該現場情報記憶部に記憶された情報と、前記端末所持者情報記憶部に記憶されている情報とを、前記メールアドレス記憶部に記憶されているアドレスに前記メール送信部から送信することを特徴とする防犯機能付き携帯端末。
【請求項７】
前記非常ボタンの押下回数をカウントする非常ボタンカウント部を設け、前記制御部は１回目の押下では、写真撮影、位置情報の収集、時計情報の読み取り、メールの作成と登録されているメールアドレスへのメール送信の一連の動作を連続的に行ない、
２回目の押下では、前記音声録音部を起動して音声の録音を開始し、
３回目の押下では音声の録音を終了し、メールの作成と登録されているメールアドレスへのメールの送信の一連の動作を連続的に行なう
ことを特徴とする請求項６記載の防犯機能付き携帯端末。
【請求項８】
非常時に押下する非常ボタンと、
映像を記録するカメラ部と、
当該端末の位置情報を認識する位置情報認識部と、
時刻情報を発生する時計部と、
所定の情報を送信するメール送信部と、
音声を発生する音声発生部と、
前記カメラ部と、位置情報認識部と、時計部から得られた情報を記憶する現場情報記憶部と、
当該端末の所持者に関する情報を記憶する端末所持者情報記憶部と、
前記メール送信部から送信されるメール宛先情報を記憶するメールアドレス記憶部と、
発生音声情報を記憶する発生音声情報記憶部と、
当該端末の全体の動作を制御する制御部と、
を具備し、
前記非常ボタンを押下すると、前記制御部はそのことを検知し、前記カメラ部と、位置情報認識部と、時計部を起動して情報を取得して前記現場情報記憶部に記憶すると共に、該現場情報記憶部に記憶された情報と、前記端末所持者情報記憶部に記憶されている情報とを、前記メールアドレス記憶部に記憶されているアドレスに前記メール送信部から送信し、その後音声発生部から前記発生音声情報記憶部に記憶されている音声を発生することを特徴とする防犯機能付き携帯端末。
【請求項９】
前記制御部は、非常ボタンを押下すると、写真撮影、位置情報の収集、時刻の読み取り、メールの作成と登録されているメールアドレスへのメール送信、音声発生の一連の動作を連続的に行なうことを特徴とする請求項８記載の防犯機能付き携帯端末。
【請求項１０】
非常時に押下する非常ボタンと、
映像を記録するカメラ部と、
当該端末の位置情報を認識する位置情報認識部と、
時刻情報を発生する時計部と、
音声を記録する音声録音部と、
音声を発生する音声発生部と、
所定の情報を送信するメール送信部と、
前記カメラ部と、位置情報認識部と、時計部と、音声録音部から得られた情報を記憶する現場情報記憶部と、
当該端末の所持者に関する情報を記憶する端末所持者情報記憶部と、
前記メール送信部から送信されるメール宛先情報を記憶するメールアドレス記憶部と、
発生音声情報を記憶する発生音声情報記憶部と、
当該端末の全体の動作を制御する制御部と、
を具備し、
前記非常ボタンを押下すると、前記制御部はそのことを検知し、前記カメラ部と、位置情報認識部と、時計部と前記録音部を起動して情報を取得して前記現場情報記憶部に記憶すると共に、該現場情報記憶部に記憶された情報と、前記端末所持者情報記憶部に記憶されている情報とを、前記メールアドレス記憶部に記憶されているアドレスに前記メール送信部から送信すると共に、前記音声発生部から発生音声情報記憶部に記憶されている音声を発生することを特徴とする防犯機能付き携帯端末。
【請求項１１】
非常ボタンの押下回数をカウントする非常ボタンカウント部を設け、前記制御部は該非常ボタンの押下回数を判断し、１回目の押下では写真撮影、位置情報の収集、時計情報の読み取り、メールの作成と登録されているメールアドレスへ現場情報と端末所持者情報をメールした後、音声を発生する一連の動作を連続的に行ない、２回目の押下では、音声の録音を開始し、３回目の押下では録音を終了し、メールの作成と登録されているメールアドレスへ録音した音声情報をメール送信する一連の動作を連続的に行なうことを特徴とする請求項１０記載の防犯機能付き携帯端末。
【請求項１２】
前記制御部は、前記非常ボタンを定められた時間内に所定回数押さないと、後に続く一連の動作を実行できないようにしたことを特徴とする請求項１、請求項６、請求項８、請求項１０の何れかに記載の防犯機能付き携帯端末。
【発明の詳細な説明】
【０００１】
【発明の属する技術分野】
本発明は防犯機能付き携帯端末に関する。
【０００２】
【従来の技術】
従来の防犯携帯電話としては、ディジタルカメラと、ＧＰＳ等の自己位置決定手段とを備え、ディジタルカメラで撮影した画像と、前記自己位置決定手段により得られた位置データと、一定時間の音声データを予め設定してある受信装置に送信する装置が知られている（例えば特許文献１参照）。
【０００３】
【特許文献１】
特開平１１−４１６６９号公報（第４頁、図１）
【０００４】
【発明が解決しようとする課題】
従来の技術では、画像情報、位置情報、音声情報等の犯行現場情報を先ず、準備キーを押し、次に実行キーを押下するという一連のシーケンスにより犯行現場情報を受信装置に送信するようになっているため、犯行時のとっさの場合に緊急連絡先に犯行現場情報を送信するということが困難である。その都度、携帯電話機に設けられたキーを眼で探した後、キーを押下するという操作を行なっていたのでは、緊急の時に間に合わない。
【０００５】
本発明はこのような課題に鑑みてなされたものであって、第１に犯行が発生した時に即座に証拠写真、位置情報、発生時刻等を所定の場所（例えば警察、自宅、友人）に速やかに送信することができる防犯機能付き携帯端末を提供することを目的としている。また、第２に非常用ボタンの操作ミスによる警察等への情報送信を防止することができる防犯機能付き携帯端末を提供することを目的としている。また、第３に非常用ボタンによる防犯機能を悪用した冤罪犯行を抑止することができる防犯機能付き携帯端末を提供することを目的としている。
【０００６】
【課題を解決するための手段】
（１）請求項１記載の発明は、以下の通りである。図１は本発明の原理ブロック図である。図において、１は非常時に押下する非常ボタン、２は映像を記録するカメラ部、３は当該端末の位置情報を認識する位置情報認識部、４は時刻情報を発生する時計部、５は所定の情報を送信するメール送信部、６は前記カメラ部２と、位置情報認識部３と、時計部４から得られた情報を記憶する現場情報記憶部、７は当該端末の所持者に関する情報を記憶する端末所持者情報記憶部、８は前記メール送信部５から送信されるメール宛先情報を記憶するメールアドレス記憶部、１０は当該端末の全体の動作を制御する制御部である。
【０００７】
このように構成された装置において、前記非常ボタン１を押下すると、前記制御部１０はそのことを検知し、前記カメラ部２と、位置情報認識部３と、時計部４を起動して情報を取得して前記現場情報記憶部６に記憶すると共に、該現場情報記憶部６に記憶された情報と、前記端末所持者情報記憶部７に記憶されている情報とを、前記メールアドレス記憶部８に記憶されているアドレスに前記メール送信部５から送信することができる。
【０００８】
このように、構成すれば、犯行が発生した時に即座に証拠写真、位置情報、発生時刻等を所定の場所（例えば警察、自宅、友人）に速やかに送信することができる。
（２）請求項２記載の発明は、前記現場情報記憶部６に記憶されている情報は、写真撮影情報、当該端末の位置情報及び時計情報であることを特徴とする。
【０００９】
このような情報を用いることで、現場情報を明確に把握することができる。
（３）請求項３記載の発明は、前記端末所持者情報記憶部７に記憶されている情報は、当該端末所持者の氏名、住所、電話番号、メールアドレスの他、本人を特定する本人特定情報であることを特徴とする。
【００１０】
このような情報を用いることで、端末所持者に関する情報を明確に認識することができる。
（４）請求項４記載の発明は、前記本人を特定する情報は、顔写真や、指紋情報であることを特徴とする。
【００１１】
このように構成すれば、本人を明確に特定することができる。
（５）請求項５記載の発明は、前記制御部１０は、非常ボタン１が押されると、写真撮影、位置情報の収集、時刻の読み取り、メールの作成と、登録されているメールアドレスへのメール送信の一連の動作を連続的に行なうことを特徴とする。
【００１２】
このように構成すれば、犯罪に関する情報をメール宛先へ速やかに送信することができる。
（６）請求項６記載の発明は、非常時に押下する非常ボタンと、映像を記録するカメラ部と、当該端末の位置情報を認識する位置情報認識部と、時刻情報を発生する時計部と、音声を記録する音声録音部と、所定の情報を送信するメール送信部と、前記カメラ部と、位置情報認識部と、時計部から得られた情報と、音声情報を記憶する現場情報記憶部と、当該端末の所持者に関する情報を記憶する端末所持者情報記憶部と、前記メール送信部から送信されるメール宛先情報を記憶するメールアドレス記憶部と、当該端末の全体の動作を制御する制御部と、を具備し、前記非常ボタンを押下すると、前記制御部はそのことを検知し、前記カメラ部と、位置情報認識部と、時計部と、音声録音部を起動して情報を取得して前記現場情報記憶部に記憶すると共に、該現場情報記憶部に記憶された情報と、前記端末所持者情報記憶部に記憶されている情報とを、前記メールアドレス記憶部に記憶されているアドレスに前記メール送信部から送信することを特徴とする。
【００１３】
このように構成すれば、写真撮影情報、位置情報、時計情報に加えて、音声情報をメール送信することができる。
（７）請求項７記載の発明は、前記非常ボタンの押下回数をカウントする非常ボタンカウント部を設け、前記制御部は１回目の押下では、写真撮影情報、位置情報の収集、時計情報の読み取り、メールの作成と登録されているメールアドレスへのメール送信の一連の動作を連続的に行ない、２回目の押下では、前記音声録音部を起動して音声の録音を開始し、３回目の押下では音声の録音を終了し、メールの作成と登録されているメールアドレスへのメールの送信の一連の動作を連続的に行なうことを特徴とする。
【００１４】
このように構成すれば、先ず写真撮影情報、位置情報及び時計情報をメール送信し、次に音声情報をメール送信することができる。
（８）請求項８記載の発明は、非常時に押下する非常ボタンと、映像を記録するカメラ部と、当該端末の位置情報を認識する位置情報認識部と、時刻情報を発生する時計部と、所定の情報を送信するメール送信部と、音声を発生する音声発生部と、前記カメラ部と、位置情報認識部と、時計部から得られた情報を記憶する現場情報記憶部と、当該端末の所持者に関する情報を記憶する端末所持者情報記憶部と、前記メール送信部から送信されるメール宛先情報を記憶するメールアドレス記憶部と、発生音声情報を記憶する発生音声情報記憶部と、当該端末の全体の動作を制御する制御部と、を具備し、前記非常ボタンを押下すると、前記制御部はそのことを検知し、前記カメラ部と、位置情報認識部と、時計部を起動して情報を取得して前記現場情報記憶部に記憶すると共に、該現場情報記憶部に記憶された情報と、前記端末所持者情報記憶部に記憶されている情報とを、前記メールアドレス記憶部に記憶されているアドレスに前記メール送信部から送信し、その後音声発生部から前記発生音声情報記憶部に記憶されている音声を発生することを特徴とする。
【００１５】
このように構成すれば、写真撮影情報、位置情報及び時計情報をメール送信してから、大きな音声を発生させることができるので、犯行が行われていることを周囲に知らせることができ、防犯の目的を達成することができる。
（９）請求項９記載の発明は、前記制御部は、非常ボタンを押下すると、写真撮影、位置情報の収集、時刻の読み取り、メールの作成と登録されているメールアドレスへのメール送信、音声発生の一連の動作を連続的に行なうことを特徴とする。
【００１６】
このように構成すれば、先ず写真撮影、位置情報の収集及び時刻の読み取りを行なってメール送信し、次に大音量の音声を発生させ、防犯の目的を達成することができる。
（１０）請求項１０記載の発明は、非常時に押下する非常ボタンと、映像を記録するカメラ部と、当該端末の位置情報を認識する位置情報認識部と、時刻情報を発生する時計部と、音声を記録する音声録音部と、音声を発生する音声発生部と、所定の情報を送信するメール送信部と、前記カメラ部と、位置情報認識部と、時計部と、音声録音部から得られた情報を記憶する現場情報記憶部と、当該端末の所持者に関する情報を記憶する端末所持者情報記憶部と、前記メール送信部から送信されるメール宛先情報を記憶するメールアドレス記憶部と、発生音声情報を記憶する発生音声情報記憶部と、当該端末の全体の動作を制御する制御部と、を具備し、前記非常ボタンを押下すると、前記制御部はそのことを検知し、前記カメラ部と、位置情報認識部と、時計部と前記録音部を起動して情報を取得して前記現場情報記憶部に記憶すると共に、該現場情報記憶部に記憶された情報と、前記端末所持者情報記憶部に記憶されている情報とを、前記メールアドレス記憶部に記憶されているアドレスに前記メール送信部から送信すると共に、前記音声発生部から発生音声情報記憶部に記憶されている音声を発生することを特徴とする。
【００１７】
このように構成すれば、写真撮影情報、位置情報及び時刻情報に加えて音声情報をメール送信することができ、また大きな音声を発生させることができる。従って、犯行現場情報の送信と大きな音声の発生による防犯機能を発揮させることができる。
（１１）請求項１１記載の発明は、非常ボタンの押下回数をカウントする非常ボタンカウント部を設け、前記制御部は該非常ボタンの押下回数を判断し、１回目の押下では写真撮影、位置情報の収集、時計情報の読み取り、メールの作成と登録されているメールアドレスへ現場情報と端末所持者情報をメールした後、音声を発生する一連の動作を連続的に行ない、２回目の押下では、音声の録音を開始し、３回目の押下では録音を終了し、メールの作成と登録されているメールアドレスへ録音した音声情報をメール送信する一連の動作を連続的に行なうことを特徴とする。
【００１８】
このように構成すれば、現場情報、音声情報のメール送信と、大音量の音声の発生を行なうことができ、防犯機能を発揮させることができる。
（１２）請求項１２記載の発明は、前記制御部は、前記非常ボタンを定められた時間内に所定回数押さないと、後に続く一連の動作を実行できないようにしたことを特徴とする。
【００１９】
このように構成すれば、誤って触っても動作しないので、誤動作を未然に防ぐことができる。
【００２０】
【発明の実施の形態】
以下、図面を参照して本発明の実施の形態例を詳細に説明する。
【００２１】
図２は本発明の第１の動作例を示すフローチャートである。構成図としては、図１に示すものを用いる。非常ボタンが押下されると（Ｓ１）、制御部１０はそのことを検知し、カメラ部２を起動して撮影コマンドを実行する（Ｓ２）。次に、位置情報認識部３を起動して位置情報を測定する。ここで、位置情報認識部３としては、例えばＧＰＳを用いることができる。また、時計部４を起動して時計情報を得る。なお、非常ボタン１は、犯行が発生した場合でも容易に押下できるように、大きなものを用いることが望ましい。例えば、携帯端末の端部に取り付けるようにすれば、携帯端末を普通に持った状態で非常ボタン１を容易に押下することができる。
【００２２】
このようにして各種の現場情報を測定したら、制御部１０は写真情報を現場情報記憶部６に記憶し（Ｓ３）、位置情報を現場情報記憶部６に記憶し（Ｓ４）、時計情報を現場情報記憶部６に記憶する（Ｓ５）。次に、制御部１０は現場情報記憶部６に記憶されている現場情報と、端末所持者情報記憶部７に記憶されている情報を読み出してメールを作成する（Ｓ６）。ここで、端末所持者情報記憶部７に記憶されている情報としては、氏名、住所、電話番号、本人写真情報等が考えられる。
【００２３】
ステップＳ６でメール作成が終了したら、制御部１０はメール送信部５を起動する。この結果、メール送信部５は、メールアドレス記憶部８に記憶されている相手先に編集した犯行現場情報を送信する（Ｓ７）。ここで、最も一般的に考えられるメール宛先としては、警察が考えられる。
【００２４】
このように、本発明によれば、犯行が発生した時に即座に証拠写真、位置情報、発生時刻等を所定の場所（例えば警察、自宅、友人）に速やかに送信することができる。
【００２５】
ここで、前記現場情報記憶部６には、写真撮影情報、当該端末の位置情報及び時計情報を記憶するようにしているので、現場情報を明確に把握することができる。
【００２６】
また、前記端末所持者情報記憶部７に記憶されている情報として、当該端末所持者の氏名、住所、電話番号、メールアドレスの他、本人を特定する本人特定情報を用いることで、端末所持者に関する情報を明確に認識することができる。
【００２７】
また、前記本人を特定する情報は、顔写真や、指紋情報である。このようにすれば、本人を明確に特定することができる。
【００２８】
また、本発明によれば、前記制御部１０は、非常ボタン１が押されると、写真撮影、位置情報の収集、時刻の読み取り、メールの作成と、登録されているメールアドレスへのメール送信の一連の動作を連続的に行なうことができる。このようにすれば、犯罪に関する情報をメール宛先へ速やかに送信することができる。
【００２９】
図３は本発明の第１の実施の形態例を示すブロック図である。図１と同一のものは、同一の符号を付して示す。図において、１１は犯行現場の音声を録音する音声録音部、１２は非常ボタン１が押された回数をカウントする非常ボタンカウント部である。音声録音部１１が設けられたことに伴い、現場情報記憶部６には、写真撮影情報、位置情報、時計情報に加えて音声情報が記憶されるようになっている。その他の構成は、図１に示すものと同じである。このように構成された装置の動作を説明すれば、以下の通りである。
【００３０】
図４は本発明の第２の動作例を示すフローチャートである。構成図としては、図３に示すものを用いる。先ず、非常ボタン１が押されると、非常ボタンカウント部１２は押された回数をカウントする。制御部１０は、非常ボタンカウント部１２の内容を読みにいき、カウント数が１回目であるかどうかをチェックする（Ｓ２）。
【００３１】
カウント数が１回目であった場合、制御部１０はそのことを検知し、カメラ部２を起動して撮影コマンドを実行する（Ｓ３）。次に、位置情報認識部３を起動して位置情報を測定する。また、時計部４を起動して時計情報を得る。
【００３２】
このようにして各種の現場情報を測定したら、制御部１０は写真情報を現場情報記憶部６に記憶し（Ｓ４）、位置情報を現場情報記憶部６に記憶し（Ｓ５）、時計情報を現場情報記憶部６に記憶する（Ｓ６）。
【００３３】
次に、制御部１０は現場情報記憶部６に記憶されている現場情報と、端末所持者情報記憶部７に記憶されている情報を読み出してメールを作成する（Ｓ７）。ステップＳ７でメール作成が終了したら、制御部１０はメール送信部５を起動する。この結果、メール送信部５は、メールアドレス記憶部８に記憶されている相手先に編集した犯行現場情報を送信する（Ｓ８）。
【００３４】
ステップＳ２で非常ボタンカウント部１２のカウント値が１回目でなかった場合、２回目であるかどうかチェックする（Ｓ９）。２回目であった場合には、制御部１０は、音声録音開始コマンドを実行し、音声録音部１１から周囲の音声を録音する（Ｓ１０）。この録音が開始されたら、ステップＳ１に戻り、非常ボタンの押下を待つ。この間に、音声録音部１１では音声が録音され、現場情報記憶部６に記憶されていく。
【００３５】
ステップＳ９において、非常ボタンカウント部１２のカウント値が２回目でなかった場合には、制御部１０は音声録音終了コマンドを実行し、音声録音部１１の録音動作を終了する（Ｓ１１）。次に、制御部１０は、現場情報記憶部６に記憶されている音声情報を読み出してメールを作成する（Ｓ１２）。メールの作成が終了したら、制御部１０はメール送信部５を起動して、音声情報をメールアドレス記憶部８に記憶されているメールアドレス宛先にメール送信する（Ｓ１３）。
【００３６】
このように構成すれば、写真撮影情報、位置情報、時計情報に加えて、音声情報をメール送信することができる。
【００３７】
また、本発明によれば、先ず写真撮影情報、位置情報及び時計情報をメール送信し、次に音声情報をメール送信することができる。
【００３８】
図５は本発明の第２の実施の形態例を示すブロック図である。図１と同一のものは、同一の符号を付して示す。図において、１３は大音量の音声を発生する音声発生部、１４は該音声発生部１３で発生する音声情報を記憶する発生音声情報記憶部である。該発生音声情報記憶部１４に記憶されている音声情報としては、例えば「キャー。助けて」というような内容のものである。その他の構成は、図１に示すものと同じである。このように構成された装置の動作を説明すれば、以下の通りである。
【００３９】
図６は本発明の第３の動作例を示すフローチャートである。構成図としては、図５に示すものを用いる。非常ボタンが押下されると（Ｓ１）、制御部１０はそのことを検知し、カメラ部２を起動して撮影コマンドを実行する（Ｓ２）。次に、位置情報認識部３を起動して位置情報を測定する。ここで、位置情報認識部３としては、例えばＧＰＳを用いることができる。また、時計部４を起動して時計情報を得る。
【００４０】
このようにして各種の現場情報を測定したら、制御部１０は写真情報を現場情報記憶部６に記憶し（Ｓ３）、位置情報を現場情報記憶部６に記憶し（Ｓ４）、時計情報を現場情報記憶部６に記憶する（Ｓ５）。次に、制御部１０は現場情報記憶部６に記憶されている現場情報と、端末所持者情報記憶部７に記憶されている情報を読み出してメールを作成する（Ｓ６）。ここで、端末所持者情報記憶部７に記憶されている情報としては、氏名、住所、電話番号、本人写真情報等が考えられる。
【００４１】
ステップＳ６でメール作成が終了したら、制御部１０はメール送信部５を起動する。この結果、メール送信部５は、メールアドレス記憶部８に記憶されている相手先に編集した犯行現場情報を送信する（Ｓ７）。
【００４２】
次に、制御部１０は音声発生部１３を起動する。この時、発生音声情報記憶部１４に記憶されている音声情報が読み出されて、音声発生部１３に入り、該音声発生部１３から大音量の音声が発生する（Ｓ８）。
【００４３】
この実施の形態例によれば、写真撮影情報、位置情報及び時計情報をメール送信してから、大きな音声を発生させることができるので、犯行が行われていることを周囲に知らせることができ、防犯の目的を達成することができる。
【００４４】
また、この実施の形態例において、前記制御部は、非常ボタンを押下すると、写真撮影、位置情報の収集、時刻の読み取り、メールの作成と登録されているメールアドレスへのメール送信、音声発生の一連の動作を連続的に行なうことができる。このようにすれば、先ず写真撮影、位置情報の収集及び時刻の読み取りを行なってメール送信し、次に大音量の音声を発生させ、防犯の目的を達成することができる。
【００４５】
図７は本発明の第３の実施の形態例を示すブロック図である。図１，図３，図５と同一のものは、同一の符号を付して示す。図において、１１は現場の音声を録音する音声録音部、１２は非常ボタン１の押下回数をカウントする非常ボタンカウント部、１３は大音量の音声を発生する音声発生部、１４は該音声発生部１３から発生する音声情報を記憶する発生音声情報記憶部である。その他の構成は、図１に示すものと同じである。このように構成された装置の動作を説明すれば、以下の通りである。
【００４６】
図８は本発明の第４の動作例を示すフローチャートである。構成図としては、図７を用いる。先ず、非常ボタン１が押されると、非常ボタンカウント部１２は押された回数をカウントする。制御部１０は、非常ボタンカウント部１２の内容を読みにいき、カウント数が１回目であるかどうかをチェックする（Ｓ２）。
【００４７】
カウント数が１回目であった場合、制御部１０はそのことを検知し、カメラ部２を起動して撮影コマンドを実行する（Ｓ３）。次に、位置情報認識部３を起動して位置情報を測定する。また、時計部４を起動して時計情報を得る。
【００４８】
このようにして各種の現場情報を測定したら、制御部１０は写真情報を現場情報記憶部６に記憶し（Ｓ４）、位置情報を現場情報記憶部６に記憶し（Ｓ５）、時計情報を現場情報記憶部６に記憶する（Ｓ６）。
【００４９】
次に、制御部１０は現場情報記憶部６に記憶されている現場情報と、端末所持者情報記憶部７に記憶されている情報を読み出してメールを作成する（Ｓ７）。ステップＳ７でメール作成が終了したら、制御部１０はメール送信部５を起動する。この結果、メール送信部５は、メールアドレス記憶部８に記憶されている相手先に編集した犯行現場情報を送信する（Ｓ８）。
【００５０】
次に、制御部１０は音声発生部１３を起動し、発生音声情報記憶部１４に記憶されている音声情報を読み出して音声発生部１３から大きな音声を発生させる（Ｓ９）。
【００５１】
ステップＳ２で非常ボタンカウント部１２のカウント値が１回目でなかった場合、２回目であるかどうかチェックする（Ｓ１０）。２回目であった場合には、制御部１０は、音声録音開始コマンドを実行し、音声録音部１１から周囲の音声を録音する（Ｓ１１）。この録音が開始されたら、ステップＳ１に戻り、非常ボタンの押下を待つ。この間に、音声録音部１１では音声が録音され、現場情報記憶部６に記憶されていく。
【００５２】
ステップＳ１０において、非常ボタンカウント部１２のカウント値が２回目でなかった場合には、制御部１０は音声録音終了コマンドを実行し、音声録音部１１の録音動作を終了する（Ｓ１２）。次に、制御部１０は、現場情報記憶部６に記憶されている音声情報を読み出してメールを作成する（Ｓ１３）。メールの作成が終了したら、制御部１０はメール送信部５を起動して、音声情報をメールアドレス記憶部８に記憶されているメールアドレス宛先にメール送信する（Ｓ１４）。
【００５３】
このように構成すれば、写真撮影情報、位置情報及び時刻情報に加えて音声情報をメール送信することができ、また大きな音声を発生させることができる。従って、犯行現場情報の送信と大きな音声の発生による防犯機能を発揮させることができる。
【００５４】
この実施の形態例において、前記制御部は該非常ボタンの押下回数を判断し、１回目の押下では写真撮影、位置情報の収集、時計情報の読み取り、メールの作成と登録されているメールアドレスへ現場情報と端末所持者情報をメールした後、音声を発生する一連の動作を連続的に行ない、２回目の押下では、音声の録音を開始し、３回目の押下では録音を終了し、メールの作成と登録されているメールアドレスへ録音した音声情報をメール送信する一連の動作を連続的に行なうことができる。
【００５５】
このように構成すれば、現場情報、音声情報のメール送信と、大音量の音声の発生を行なうことができ、防犯機能を発揮させることができる。
【００５６】
また、本発明によれば、前記制御部は、非常ボタンを定められた時間内に所定回数押さないと、後に続く一連の動作を実行できないようにすることができる。このようにすれば、誤って触っても動作しないので、誤動作を未然に防ぐことができる。
【００５７】
上述した本発明によれば、襲われた時の犯行現場情報を即座に警察や友人等にメールするので、犯人逮捕が容易になる。また、犯行現場情報を警察のみならず、家族、友人等にも送れるので、警察の捜査を牽制することができる。また、携帯電話等に本機能が普及すれば、痴漢等の犯行意欲を抑止する効果が生まれる。その理由は、周りに人がいない場合でも、現場情報を非常ボタンでメールできるためである。また、非常ボタン押下により、大音量が発生するので周りに人がいる場合、近くの人に危険を知らせることができるためである。また、携帯端末はほとんどの人が持っていると思われているためである。
【００５８】
また、本発明によれば、端末所持者情報として、本人を特定する写真情報又は指紋情報等も犯行現場情報と一緒にメールするので、非常用ボタンのいたずら、若しくは故意の冤罪犯行を抑止することができる。また、誤って非常ボタンに触っても動作しないので、警察等への誤通報を防止することができる。
【００５９】
【発明の効果】
以上、説明したように、本発明によれば、以下の効果が得られる。
（１）請求項１記載の発明によれば、犯行が発生した時に即座に証拠写真、位置情報、発生時刻等を所定の場所（例えば警察、自宅、友人）に速やかに送信することができる。
（２）請求項２記載の発明によれば、現場情報を明確に把握することができる。
（３）請求項３記載の発明によれば、端末所持者に関する情報を明確に認識することができる。
（４）請求項４記載の発明によれば、本人を明確に特定することができる。
（５）請求項５記載の発明によれば、犯罪に関する情報をメール宛先へ速やかに送信することができる。
（６）請求項６記載の発明によれば、写真撮影情報、位置情報、時計情報に加えて、音声情報をメール送信することができる。
（７）請求項７記載の発明によれば、先ず写真撮影情報、位置情報及び時計情報をメール送信し、次に音声情報をメール送信することができる。
（８）請求項８記載の発明によれば、写真撮影情報、位置情報及び時計情報をメール送信してから、大きな音声を発生させることができるので、犯行が行われていることを周囲に知らせることができ、防犯の目的を達成することができる。
（９）請求項９記載の発明によれば、先ず写真撮影、位置情報の収集及び時刻の読み取りを行なってメール送信し、次に大音量の音声を発生させ、防犯の目的を達成することができる。
（１０）請求項１０記載の発明によれば、写真撮影情報、位置情報及び時刻情報に加えて音声情報をメール送信することができ、また大きな音声を発生させることができる。従って、犯行現場情報の送信と大きな音声の発生による防犯機能を発揮させることができる。
（１１）請求項１１記載の発明によれば、現場情報、音声情報のメール送信と、大音量の音声の発生を行なうことができ、防犯機能を発揮させることができる。
（１２）請求項１２記載の発明によれば、誤って触っても動作しないので、誤動作を未然に防ぐことができる。
【００６０】
このように、本発明によれば、第１に犯行が発生した時に即座に証拠写真、位置情報、発生時刻等を所定の場所（例えば警察、自宅、友人）に速やかに送信することができる防犯機能付き携帯端末を提供することができ、また、第２に非常用ボタンの操作ミスによる警察等への情報送信を防止することができる防犯機能付き携帯端末を提供することができ、また、第３に非常用ボタンによる防犯機能を悪用した冤罪犯行を抑止することができる防犯機能付き携帯端末を提供することができる。
【図面の簡単な説明】
【図１】本発明の原理ブロック図である。
【図２】本発明の第１の動作例を示すフローチャートである。
【図３】本発明の第１の実施の形態例を示すブロック図である。
【図４】本発明の第２の動作例を示すフローチャートである。
【図５】本発明の第２の実施の形態例を示すブロック図である。
【図６】本発明の第３の動作例を示すフローチャートである。
【図７】本発明の第３の実施の形態例を示すブロック図である。
【図８】本発明の第４の動作例を示すフローチャートである。
【符号の説明】
１  非常ボタン
２  カメラ部
３  位置情報認識部
４  時計部
５  メール送信部
６  現場情報記憶部
７  端末所持者情報記憶部
８  メールアドレス記憶部
１０  制御部
【図１】
2004289364.tif 000003
【図２】
2004289364.tif 000004
【図３】
2004289364.tif 000005
【図４】
2004289364.tif 000006
【図５】
2004289364.tif 000007
【図６】
2004289364.tif 000008
【図７】
2004289364.tif 000009
【図８】
2004289364.tif 000010